(57)【要約】【課題】安全にデジタル放送を視聴できる安価な放送受信システムを提供する。【解決手段】放送受信システムは、放送受信装置１と放送受信装置制御端末２を備え、放送受信装置１は、放送を受信する放送受信部１１〜１３と、端末２からの制御ＩＤに応じた周波数の放送を放送受信部で受信して得られた番組情報を端末２に送信する制御部１７を備え、放送受信装置制御端末２は、発話された音声を音声情報に変換する音声入力部２１と、音声情報と認識語彙との対応が記述された音声認識辞書を格納する音声認識辞書部２２と、音声入力部からの音声情報に対応する認識語彙を音声認識辞書から検索する音声認識処理部２３と、装置１から受信された番組情報を蓄積する番組情報蓄積部２４と、音声認識処理部からの認識語彙に対応する情報を番組情報蓄積部内の番組情報から検索し、検索された情報に対応する制御ＩＤを装置１に送信する番組検索処理部２５を備えている。【選択図】図１
2007235912.tif 000002
【特許請求の範囲】
【請求項１】
発話された音声を音声情報に変換する音声入力部と、
音声情報と認識語彙との対応が記述された音声認識辞書を格納する音声認識辞書部と、
前記音声入力部から送られてくる音声情報に対応する認識語彙を前記音声認識辞書部に格納されている音声認識辞書から検索して出力する音声認識処理部と、
外部から受信された番組情報を認識語彙に対応付けて蓄積する番組情報蓄積部と、
前記音声認識処理部から送られてくる認識語彙に対応する情報を前記番組情報蓄積部に蓄積されている番組情報から検索し、検索された情報に対応付けられている制御ＩＤを外部に送信する番組検索処理部
とを備えた放送受信装置制御端末。
【請求項２】
外部から受信された番組情報を解析して認識語彙および音声情報を生成する番組情報解析部と、
前記番組情報解析部で生成された認識語彙と音声情報とを対応付けて音声認識辞書部に格納されている音声認識辞書に追加する音声認識辞書更新部とを備え、
番組検索処理部は、外部から受信された番組情報と、前記番組情報解析部で生成された認識語彙とを対応づけて番組情報蓄積部に蓄積する
ことを特徴とする請求項１記載の放送受信装置制御端末。
【請求項３】
外部から受信された語彙情報に基づき音声情報を生成する番組情報解析部と、
前記番組情報解析部で生成された音声情報と外部から受信された語彙情報とを対応付けて音声認識辞書部に格納されている音声認識辞書に追加する音声認識辞書更新部とを備え、
番組検索処理部は、外部から受信された番組情報と認識語彙とを対応づけて番組情報蓄積部に蓄積する
ことを特徴とする請求項１記載の放送受信装置制御端末。
【請求項４】
外部から受信された語彙情報と音声情報とを対応付けて音声認識辞書部に格納されている音声認識辞書に追加する音声認識辞書更新部を備え、
番組検索処理部は、外部から受信された番組情報と認識語彙とを対応づけて番組情報蓄積部に蓄積する
ことを特徴とする請求項１記載の放送受信装置制御端末。
【請求項５】
音声認識辞書更新部は、音声認識辞書部に格納されている音声認識辞書に追加した認識語彙および音声情報を所定時間間隔で削除する
ことを特徴とする請求項２から請求項４のうちのいずれか１項記載の放送受信装置制御端末。
【請求項６】
自己の現在位置を検出する現在位置検出部を備え、
音声認識辞書更新部は、前記現在位置検出部で検出された自己の現在位置に応じて、音声認識辞書部に格納されている音声認識辞書に追加した認識語彙および音声情報を削除する
ことを特徴とする請求項２から請求項４のうちのいずれか１項記載の放送受信装置制御端末。
【請求項７】
番組検索処理部は、外部に番組情報送信要求を送信し、該番組情報送信要求に応答して外部から送信されてくる番組情報を番組情報蓄積部に蓄積する
ことを特徴とする請求項１記載の放送受信装置制御端末。
【請求項８】
番組情報送信要求の送信は所定時間間隔で行われる
ことを特徴とする請求項７記載の放送受信装置制御端末。
【請求項９】
自己の現在位置を検出する現在位置検出部を備え、
番組検索処理部は、前記現在位置検出部で検出された自己の現在位置に応じて番組情報送信要求を送信する
ことを特徴とする請求項７記載の放送受信装置制御端末。
【請求項１０】
映像信号および音声信号に基づき映像および音声を出力するモニタ部と、
自己の内部で生成した映像信号および音声信号を前記モニタ部に送るか、外部から送信されてきた映像信号および音声信号を前記モニタ部に送るかを切り替える出力切替部とを備え、
番組検索処理部は、前記出力切替部が自己の内部で生成した映像信号および音声信号を前記モニタ部に送るように切り替えられているときに、番組情報送信要求を外部に送信する
ことを特徴とする請求項７記載の放送受信装置制御端末。
【請求項１１】
現在時刻を取得する現在時刻取得部を備え、
番組検索処理部は、前記現在時刻取得部で取得された現在時刻が、現在放送されている番組を表す番組情報が放送される番組を表す番組情報に切り替わる前の所定時間内であれば、次に放送される番組を表す番組情報をも検索対象として、音声認識処理部から送られてくる認識語彙に対応する情報を番組情報蓄積部に蓄積されている番組情報から検索する
ことを特徴とする請求項１記載の放送受信装置制御端末。
【請求項１２】
放送を受信する放送受信部と、
外部から受信された制御ＩＤに基づき受信すべき放送の周波数を決定して前記放送受信部に設定し、前記放送受信部で受信された放送に含まれる番組情報を外部に送信する制御部
を備えた放送受信装置。
【請求項１３】
制御部は、放送受信部で受信された放送に含まれる番組情報に対応する認識語彙を生成し、該生成した認識語彙を外部に送信する
ことを特徴とする請求項１２記載の放送受信装置。
【請求項１４】
制御部は、放送受信部で受信された放送に含まれる番組情報に付随する認識語彙を外部に送信する
ことを特徴とする請求項１２記載の放送受信装置。
【請求項１５】
制御部は、放送受信部で受信された放送に含まれる番組情報に基づき認識語彙および該認識語彙に対応する音声情報を生成し、該生成した認識語彙および音声情報を外部に送信する
ことを特徴とする請求項１２記載の放送受信装置。
【請求項１６】
制御部は、放送受信部で受信された放送に含まれる認識語彙に基づき音声情報を生成し、該生成した音声情報と前記認識語彙とを外部に送信する
ことを特徴とする請求項１２記載の放送受信装置。
【請求項１７】
制御部は、放送受信部で受信された放送に含まれる番組情報に付随する認識語彙および該認識語彙に対応する音声情報を外部に送信する
ことを特徴とする請求項１２記載の放送受信装置。
【請求項１８】
制御部は、放送受信部で受信された放送に含まれる番組情報を所定時間間隔で外部に送信する
ことを特徴とする請求項１２記載の放送受信装置。
【請求項１９】
自己の現在位置を検出する現在位置検出部を備え、
制御部は、前記現在位置検出部で検出された位置に応じて、放送受信部で受信された放送に含まれる番組情報を外部に送信する
ことを特徴とする請求項１２記載の放送受信装置。
【請求項２０】
制御部は、放送受信部で受信された放送に含まれる番組情報のうちの前回送信した番組情報との差である差分情報のみを外部に送信する
ことを特徴とする請求項１２記載の放送受信装置。
【請求項２１】
制御部は、外部から送信されてくる番組情報送信要求に応答して、放送受信部で受信された放送に含まれる番組情報を外部に送信する
ことを特徴とする請求項１２記載の放送受信装置。
【請求項２２】
制御部は、外部から送信されてくる番組情報送信要求に応答して、受信可能な放送の周波数を前記放送受信部に設定し、該周波数が設定された前記放送受信部で受信された放送に含まれる番組情報を外部に送信する
ことを特徴とする請求項２１記載の放送受信装置。
【請求項２３】
放送受信装置と、該放送受信装置を制御する放送受信装置制御端末とを備えた放送受信システムであって、
前記放送受信装置は、
放送を受信する放送受信部と、
前記放送受信装置制御端末から受信された制御ＩＤに基づき受信すべき放送の周波数を決定して前記放送受信部に設定し、該周波数が設定された前記放送受信部で受信された放送に含まれる番組情報を前記放送受信装置制御端末に送信する制御部
とを備え、
前記放送受信装置制御端末は、
発話された音声を音声情報に変換する音声入力部と、
音声情報と認識語彙との対応が記述された音声認識辞書を格納する音声認識辞書部と、
前記音声入力部から送られてくる音声情報に対応する認識語彙を前記音声認識辞書部に格納されている音声認識辞書から検索して出力する音声認識処理部と、
前記放送受信装置から受信された番組情報を認識語彙に対応付けて蓄積する番組情報蓄積部と、
前記音声認識処理部から送られてくる認識語彙に対応する情報を前記番組情報蓄積部に蓄積されている番組情報から検索し、検索された情報に対応付けられている制御ＩＤを前記放送受信装置に送信する番組検索処理部
とを備えた放送受信システム。
【請求項２４】
放送受信装置制御端末は、
放送受信装置から受信された番組情報を解析して認識語彙および音声情報を生成する番組情報解析部と、
前記番組情報解析部で生成された認識語彙と音声情報とを対応付けて音声認識辞書部に格納されている音声認識辞書に追加する音声認識辞書更新部とを備え、
番組検索処理部は、放送受信装置から受信された番組情報と、前記番組情報解析部で生成された認識語彙とを対応づけて番組情報蓄積部に蓄積する
ことを特徴とする請求項２３記載の放送受信システム。
【請求項２５】
放送受信装置制御端末は、
放送受信装置から受信された語彙情報に基づき音声情報を生成する番組情報解析部と、
前記番組情報解析部で生成された音声情報と前記放送受信装置から受信された語彙情報とを対応付けて音声認識辞書部に格納されている音声認識辞書に追加する音声認識辞書更新部とを備え、
番組検索処理部は、前記放送受信装置から受信された番組情報と認識語彙とを対応づけて番組情報蓄積部に蓄積し、
前記放送受信装置の制御部は、
放送受信部で受信された放送に含まれる番組情報に対応する認識語彙を生成し、該生成した認識語彙を前記放送受信装置端末に送信し、または、
前記放送受信部で受信された放送に含まれる番組情報に付随する認識語彙を外部に送信する
ことを特徴とする請求項２３記載の放送受信システム。
【請求項２６】
放送受信装置制御端末は、
放送受信装置から受信された語彙情報と音声情報とを対応付けて音声認識辞書部に格納されている音声認識辞書に追加する音声認識辞書更新部を備え、
番組検索処理部は、前記放送受信装置から受信された番組情報と認識語彙とを対応づけて番組情報蓄積部に蓄積し、
前記放送受信装置の制御部は、
放送受信部で受信された放送に含まれる番組情報に基づき認識語彙および該認識語彙に対応する音声情報を生成し、該生成した認識語彙および音声情報を放送受信装置制御端末に送信し、または、
前記放送受信部で受信された放送に含まれる認識語彙に基づき音声情報を生成し、該生成した音声情報と前記認識語彙とを放送受信装置制御端末に送信し、または、
前記放送受信部で受信された放送に含まれる番組情報に付随する認識語彙および該認識語彙に対応する音声情報を放送受信装置制御端末に送信する
ことを特徴とする請求項２３記載の放送受信システム。
【請求項２７】
制御ＩＤは、リモコンボタン番号または３桁チャンネル番号から成る
ことを特徴とする請求項２３記載の放送受信システム。
【発明の詳細な説明】
【技術分野】
【０００１】
この発明は、放送受信システム、ならびに、これに用いられる放送受信装置および放送受信装置制御端末に関し、特に放送受信装置制御端末が有する音声認識機能を利用して放送受信装置を制御する技術に関する。
【背景技術】
【０００２】
近年、地上デジタル放送の開始に伴って、地上デジタル放送を受信可能な家庭用テレビジョン受像機の普及とともに、自動車にも地上デジタル放送受信機が搭載されるようになってきている。このような自動車搭載用の地上デジタル放送受信機に対しては、家庭用とは異なり、自動車が走行中においては、運転者の運転操作を妨げることなく安全に操作できることが要求される。このような要求に応える技術として、音声認識機能を利用することにより、画面を注視することなく音声で地上デジタル放送受信機を操作する技術が開発されている。
【０００３】
例えば、音声認識機能を利用した装置として、特許文献１は、番組を容易に検索できるデジタルテレビ放送受信機を開示している。このデジタルテレビ放送受信機は、番組案内情報から番組検索を行うための複数のキーワードを抽出する第１手段、抽出した各キーワードの読みを生成し、得られた複数のキーワードの読みと過去に音声認識がなされたキーワードの読みとからなる音声認識用辞書を作成する第２手段、選択したい番組を特定するための単語をユーザに音声で入力させるための第３手段、音声認識用辞書に基づいて入力音声に対して音声認識処理を行って、入力音声に対応するキーワードを抽出する第４手段、および抽出したキーワードに基づいて番組を検索する第５手段を備えている。
【０００４】
また、特許文献２は、操作者が、面倒な単語登録をしなくても、居住地域に合わせた表示チャンネル、受信チャンネルまたは放送局名を発声することにより、容易にチャンネルを選局することができる音声認識による選局装置を開示している。この選局装置は、受信チャンネルを表示する言葉を含む受信チャンネルテーブルと、選局ポジションと受信チャンネルとを対応付けて記憶するチャンネル設定情報記憶部と、選局ポジションに対応付けられた受信チャンネルを表示する言葉を登録する辞書と、選局ポジションに新たな受信チャンネルが対応付けられた時、自動的に、受信チャンネルテーブルからその選局ポジションに新たに対応付けられた受信チャンネルを表示する言葉を検索し、その言葉を辞書に更新登録する辞書生成部と、音声入力部と、音声認識部と、音声認識結果に基づいて受信チャンネルの信号を受信し出力する選局制御部とを備えている。
【０００５】
【特許文献１】特開２００１−３０９２５６号公報
【特許文献２】特開２００３−２２３１８３号公報
【発明の開示】
【発明が解決しようとする課題】
【０００６】
上述した特許文献１および特許文献２に開示された技術は、自動車搭載用ではないが、デジタルテレビ放送受信機および選局装置に音声認識機能をそれぞれ搭載することにより従来の問題を解決しており、自動車搭載用のデジタル放送受信機に適用することも考えられる。
【０００７】
しかしながら、自動車搭載用のデジタル放送受信機に音声認識機能を搭載すると、デジタル放送受信機のコストアップにつながるとともに、既に音声認識機能が搭載されたカーナビゲーション装置と重複した機能を搭載することになり、ユーザに無駄な投資を強いることになる。
【０００８】
この発明は、上述した問題を解決するためになされたものであり、その課題は、安全にデジタル放送を視聴できる安価な放送受信システム、放送受信装置および放送受信装置制御端末を提供することにある。
【課題を解決するための手段】
【０００９】
この発明に係る放送受信装置制御端末は、発話された音声を音声情報に変換する音声入力部と、音声情報と認識語彙との対応が記述された音声認識辞書を格納する音声認識辞書部と、音声入力部から送られてくる音声情報に対応する認識語彙を音声認識辞書部に格納されている音声認識辞書から検索して出力する音声認識処理部と、外部から受信された番組情報を認識語彙に対応付けて蓄積する番組情報蓄積部と、音声認識処理部から送られてくる認識語彙に対応する情報を番組情報蓄積部に蓄積されている番組情報から検索し、検索された情報に対応付けられている制御ＩＤを外部に送信する番組検索処理部とを備えている。
【００１０】
この発明に係る放送受信装置は、放送を受信する放送受信部と、外部から受信された制御ＩＤに基づき受信すべき放送の周波数を決定して放送受信部に設定し、放送受信部で受信された放送に含まれる番組情報を外部に送信する制御部を備えている。
【００１１】
この発明に係る放送受信システムは、放送受信装置と、該放送受信装置を制御する放送受信装置制御端末とを備え、放送受信装置は、放送を受信する放送受信部と、放送受信装置制御端末から受信された制御ＩＤに基づき受信すべき放送の周波数を決定して放送受信部に設定し、該周波数が設定された放送受信部で受信された放送に含まれる番組情報を放送受信装置制御端末に送信する制御部とを備え、放送受信装置制御端末は、発話された音声を音声情報に変換する音声入力部と、音声情報と認識語彙との対応が記述された音声認識辞書を格納する音声認識辞書部と、音声入力部から送られてくる音声情報に対応する認識語彙を音声認識辞書部に格納されている音声認識辞書から検索して出力する音声認識処理部と、放送受信装置から受信された番組情報を認識語彙に対応付けて蓄積する番組情報蓄積部と、音声認識処理部から送られてくる認識語彙に対応する情報を番組情報蓄積部に蓄積されている番組情報から検索し、検索された情報に対応付けられている制御ＩＤを放送受信装置に送信する番組検索処理部とを備えている。
【発明の効果】
【００１２】
この発明によれば、放送受信装置に音声認識機能を設けずに、放送受信装置制御端末が既に有する音声認識機能を使用して、放送受信装置を音声で操作できるので、放送受信システム全体を低コストで実現できるとともに、ユーザの利便性を向上させることができる。
【発明を実施するための最良の形態】
【００１３】
以下、この発明の実施の形態を、図面を参照しながら詳細に説明する。
実施の形態１．
図１は、この発明の実施の形態１に係る放送受信システムの構成を示す図である。この放送受信システムは、地上デジタル放送受信機１とカーナビゲーション装置２とから構成されている。地上デジタル放送受信機１とカーナビゲーション装置２との間はシリアルケーブル３で接続されている。地上デジタル放送受信機１は、この発明の放送受信装置に対応し、カーナビゲーション装置２は、この発明の放送受信装置制御端末に対応する。
【００１４】
なお、地上デジタル放送受信機１とカーナビゲーション装置２との間は、シリアルケーブル３に限らず、例えばＭＯＳＴ（Media Oriented System Transport）などといった車内ＬＡＮ（Local Area Network）や、無線ＬＡＮやＵＷＢ（Ultra Wide Band）といった無線通信によって接続することもできる。
【００１５】
図２は、地上デジタル放送受信機１の構成を示すブロック図である。この地上デジタル放送受信機１は、アンテナ部１１、チューナ部１２、デコーダ部１３、映像・音声信号生成部１４、入力部１６、制御部１７、メニュー生成部１８およびカーナビゲーション装置インタフェース部（以下、「カーナビインタフェース部」と略する）１９から構成されている。この発明の放送受信部は、アンテナ部１１、チューナ部１２およびデコーダ部１３から構成されている。
【００１６】
アンテナ部１１は、地上デジタル放送の放送波を受信して電気信号に変換し、テレビ放送信号としてチューナ部１２に送る。チューナ部１２は、アンテナ部１１から送られてくるテレビ放送信号から、制御部１７から送られてくるチャンネル制御信号（受信すべき放送の周波数を指示する信号）に応じた信号を抽出し、この抽出した信号に対して高周波信号処理、復調処理などを行うことによりＭＰＥＧ（Moving Picture Experts Group）データを生成する。このチューナ部１２で生成されたＭＰＥＧデータは、デコーダ部１３に送られる。
【００１７】
デコーダ部１３は、チューナ部１２から送られてくるＭＰＥＧデータに対して多重分離処理を行うことにより、このＭＰＥＧデータを、ＭＰＥＧ映像データ、ＭＰＥＧ音声データおよびＭＰＥＧ付加データに分離する。そして、デコーダ部１３は、分離されたＭＰＥＧ映像データに対してＭＰＥＧ復号処理を行って映像データを生成し、映像・音声信号生成部１４に送る。また、デコーダ部１３は、分離された音声データに対してＭＰＥＧ復号処理を行って音声データを生成し、映像・音声信号生成部１４に送る。さらに、デコーダ部１３は、分離されたＭＰＥＧ付加データを制御部１７に送る。ＭＰＥＧ付加データは、地上デジタル放送において行われるデータ放送によって放送されるデータである。
【００１８】
映像・音声信号生成部１４は、デコーダ部１３から送られてくる映像データおよびメニュー生成部１８から送られてくるメニューデータに基づき映像信号を生成し、カーナビゲーション装置２のモニタ部２７（詳細は後述する）に送る。また、映像・音声信号生成部１４は、デコーダ部１３から送られてくる音声データに基づき音声信号を生成し、モニタ部２７に送る。
【００１９】
入カ部１６は、例えば、図示しないリモートコントローラ（以下、「リモコン」と略する）から送られてくる光信号を受信して電気信号に変換し、入力データとして制御部１７に送る。この入力データは、例えばリモコンの各ボタンに割り当てられているリモコンボタン番号を表すリモコンキーコードから構成されている。
【００２０】
制御部１７は、この地上デジタル放送受信機１を構成する要素を制御することにより、デジタル放送受信機能を実現するための処理を行う。この制御部１７で行われる処理の詳細については後述する。メニュー生成部１８は、制御部１７から送られてくるメニュー情報に基づきメニューデータを生成し、映像・音声信号生成部１４に送る。カーナビインタフェース部１９は、地上デジタル放送受信機１とカーナビゲーション装置２との間で行われるデータの送受を制御する。
【００２１】
図３は、カーナビゲーション装置２の構成を示すブロック図である。このカーナビゲーション装置２は、音声入力部２１、音声認識辞書部２２、音声認識処理部２３、番組情報蓄積部２４、番組検索処理部２５、映像・音声信号生成部２６、モニタ部２７およびＤＴＶ（Digital TeleVision）インタフェース部２８から構成されている。なお、カーナビゲーション装置２の基本的な構成および動作は、従来のカーナビゲーション装置と同じであるので説明を省略し、以下では、地上デジタル放送受信機１の制御に必要な構成および動作を中心に説明する。
【００２２】
音声入力部２１は、例えばマイクロフォンから構成されており、ユーザによって発話された音声を電気信号に変換して発話音声信号を生成し、音声情報として音声認識処理部２３に送る。音声認識辞書部２２は、音声認識処理に用いられる音声認識辞書を格納している。音声認識辞書には、音声情報と認識語彙との対応が記述されている。この音声認識辞書部２２に格納されている音声認識辞書は、音声認識処理部２３によって参照される。
【００２３】
音声認識処理部２３は、音声入力部２１から受け取った発話音声信号（音声情報）と音声認識辞書部２２に格納されている音声認識辞書の音声情報とを順次比較して音声認識を行う。音声認識処理部２３は、一致した音声情報に対応する認識語彙を、音声認識の結果として番組検索処理部２５に送る。番組情報蓄積部２４は、番組検索処理部２５から送られてくる番組情報を認識語彙に対応付けて蓄積するとともに、蓄積された番組情報は、番組検索処理部２５によって検索される。
【００２４】
番組検索処理部２５は、音声認識処理部２３から音声認識結果として受け取った認識語彙に基づき、番組情報蓄積部２４に蓄積されている番組情報を検索し、この検索により得られた番組情報を映像・音声信号生成部２６に送る。また、番組検索処理部２５は、検索により得られた番組情報に応じたＤＴＶ制御情報をＤＴＶインタフェース部２８に送る。ＤＴＶ制御情報は、この発明の制御ＩＤに対応する。さらに、番組検索処理部２５は、ＤＴＶインタフェース部２８から受け取った番組情報を番組情報蓄積部２４に送る。
【００２５】
映像・音声信号生成部２６は、番組検索処理部２５から受け取った番組情報の検索結果を映像信号および音声信号に変換してモニタ部２７に送る。なお、映像・音声信号生成部２６は、図示しない制御部から送られてくる制御信号にしたがって、地図の表示、自車マークの表示、案内メッセージの出力といったカーナビゲーション装置２の基本的機能を実現するための映像信号および音声信号をも生成する。
【００２６】
モニタ部２７は、例えばＬＣＤ（Liquid Crystal Display）およびスピーカから構成されており、映像・音声信号生成部２６から送られてくる映像信号および音声信号、または、地上デジタル放送受信機１から送られてくる映像信号および音声信号に基づき映像および音声を出力する。ＤＴＶインタフェース部２８は、地上デジタル放送受信機１から番組情報を受信して番組検索処理部２５に送るとともに、番組検索処理部２５から受け取ったＤＴＶ制御情報を地上デジタル放送受信機１に送る。
【００２７】
次に、上記のように構成される、この発明の実施の形態１に係る放送受信システムの動作を説明する。まず、地上デジタル放送受信機１の動作を説明する。なお、以下では、地上デジタル放送受信機１で行われる処理のうち、この発明に関係するチャンネル制御処理、地上デジタル放送受信処理および番組情報取得処理を中心に説明する。
【００２８】
（１−１）チャンネル制御処理
制御部１７は、入力部１６（例えばリモコン）から送られてくるリモコンキーコード、または、カーナビゲーション装置２からカーナビインタフェース部１９を介して送られてくるＤＴＶ制御情報を変換することにより得られたリモコンキーコードを、チャンネル制御信号としてチューナ部１２に送る。ＤＴＶ制御情報からリモコンキーコードへの変換は、制御部１７に保持されている、例えば図４に示すようなＤＴＶ制御情報とリモコンキーコードとの対応表を参照することにより行われる。チューナ部１２は、制御部１７から受け取ったリモコンキーコードに対応する周波数を受信周波数として、後述する地上デジタル放送受信処理を実行する。
【００２９】
なお、この実施の形態１では、チャンネル制御信号としてリモコンキーコードを用い、ＤＴＶ制御情報からリモコンキーコードに変換してチューナ部１２に設定するように構成したが、ＤＴＶ制御情報をリモコンキーコードで構成することもできる。この場合、ＤＴＶ制御情報からリモコンキーコードへの変換は不要になる。また、チャンネル制御信号として、地上デジタル放送で規定されている３桁チャンネル番号を用いることもできる。この場合、３桁チャンネル番号がＤＴＶ制御情報として用いられ、チューナ部１２は、３桁チャンネル番号に対応した周波数を受信周波数として地上デジタル放送受信処理を行う。なお、チューナ部１２において行われる処理は、従来の地上デジタル放送受信機で行われる処理と同じであるので、詳細な説明は省略する。
【００３０】
（１−２）地上デジタル放送受信処理
アンテナ部１１は、地上デジタル放送の放送波を受信して電気信号に変換し、テレビ放送信号としてチューナ部１２に送る。チューナ部１２は、アンテナ部１１から受け取ったテレビ放送信号から、制御部１７から受け取ったリモコンキーコードに対応する周波数の信号を抽出し、この抽出した信号に対して信号処理を行ってＭＰＥＧデータを生成し、デコーダ部１３に送る。デコーダ部１３は受け取ったＭＰＥＧデータから多重分離処理を行ってＭＰＥＧ映像データ、ＭＰＥＧ音声データおよびＭＰＥＧ付加データに分離し、さらに、ＭＰＥＧ映像データおよびＭＰＥＧ音声データに対してＭＰＥＧ復号処理を行い、映像データおよび音声データとして、映像・音声信号生成部１４に送るとともに、ＭＰＥＧ付加データを制御部１７に送る。
【００３１】
制御部１７は、デコーダ部１３から受け取ったＭＰＥＧ付加データからメニュー情報を生成し、メニュー生成部１８に送る。メニュー生成部１８は、受け取ったメニュー情報からメニューデータを生成し、映像・音声信号生成部１４に送る。映像・音声信号生成部１４は、デコーダ部１３から受け取った映像データおよびメニュー生成部１８から受け取ったメニューデータを映像信号に変換し、カーナビゲーション装置２のモニタ部２７に送る。これにより、モニタ部２７に地上デジタル放送の映像が表示される。また、映像・音声信号生成部１４は、デコーダ部１３から受け取った音声データを音声信号に変換し、カーナビゲーション装置２のモニタ部２７に送る。これにより、モニタ部２７に備えられたスピーカ（図示は省略する）から地上デジタル放送の音声が出力される。
【００３２】
（１−３）番組情報取得処理
放送中の番組に付されている番組名、番組種別（ジャンル）、放送局名、３桁チャンネル番号、出演者名、キーワード等を含む番組情報は、上述した地上デジタル放送受信処理においてＭＰＥＧデータから分離されたＭＰＥＧ付加データ中に番組配列情報として含まれている。したがって、制御部１７は、地上デジタル放送受信処理におけるメニュー情報の生成時に番組情報を取得することができる。制御部１７は、取得した番組情報をカーナビインタフェース部１９を介して、カーナビゲーション装置２に送信する。なお、番組配列情報は、“標準規格「デジタル放送に使用する番組配列情報」ＡＲＩＢ  ＳＴＤ−Ｂ１０  ３．８版（杜）電波産業会”に規定されているので必要に応じて参照されたい。
【００３３】
次に、カーナビゲーション装置２において行われる番組検索処理を、図５に示すフローチャートを参照しながら説明する。なお、以下では、音声認識辞書部２２には音声認識辞書があらかじめ格納されているものとし、また、番組情報蓄積部２４には、地上デジタル放送受信機１の起動時に、この地上デジタル放送受信機１からＤＴＶインタフェース部２８を介して番組情報が取得されて蓄積されているものとする。また、以下では、説明を簡略にするために、番組情報として「放送局名」が用いられ、音声認識結果として「放送局名」の認識語彙が出力されるものとして説明する。
【００３４】
まず、ユーザによる発話を入力する音声入力処理が行われる（ステップＳＴ１１）。すなわち、音声入力部２１は、ユーザによって発話された音声を電気信号に変換して発話音声信号を生成し、音声情報として音声認識処理部２３に送る。次いで、音声認識処理が行われる（ステップＳＴ１２）。すなわち、音声認識処理部２３は、音声入力部２１から受け取った発話音声信号（音声情報）と音声認識辞書部２２に格納されている音声認識辞書の音声情報とを順次比較し、一致した音声情報に対応する認識語彙を、音声認識の結果として番組検索処理部２５に送る。
【００３５】
次いで、番組検索処理が行われる（ステップＳＴ１３）。番組情報蓄積部２４には、図６に示すような、放送局名とＤＴＶ制御情報との対応表が保持されている。この対応表は、番組情報として地上デジタル放送受信機１からあらかじめ受信される。番組検索処理部２５は、音声認識処理部２３から音声認識結果として送られてくる認識語彙に対応する放送局名が、対応表に存在するかどうかを順次調べる。
【００３６】
次いで、検索結果があるかどうかが調べられる（ステップＳＴ１４）。このステップＳＴ１４において、検索結果があることが判断されると、ＤＴＶ制御情報の送信が行われる（ステップＳＴ１５）。すなわち、番組検索処理部２５は、検索された放送局名に対応するＤＴＶ制御情報を対応表から取り出し、ＤＴＶインタフェース部２８を介して地上デジタル放送受信機１に送信する。
【００３７】
一方、ステップＳＴ１４において、検索結果がない、つまり音声認識結果である認識語彙に対応する「放送局名」が対応表にないことが判断されると、ユーザが発話した「放送局名」が存在しないことがユーザに通知される（ステップＳＴ１６）。すなわち、番組検索処理部２５は、ユーザが発話した「放送局名」が存在しない旨のメッセージを映像・音声信号生成部２６を介してモニタ部２７に送る。
【００３８】
以上説明したように、この発明の実施の形態１に係る放送受信システムによれば、地上デジタル放送受信機１に音声認識機能を設けずに、カーナビゲーション装置２が既に有する音声認識機能を使用して、地上デジタル放送受信機１を音声で操作することができるので、放送受信システム全体を低コストで実現できるとともに、ユーザの利便性を向上させることができる。
【００３９】
なお、上述した実施の形態１では、地上デジタル放送受信機１は、その起動時にのみ、番組情報をカーナビゲーション装置２に送信するように構成したが、所定時間間隔で番組情報をカーナビゲーション装置２に送信し、カーナビゲーション装置２では、番組検索処理部２５が受け取った番組情報を番組情報蓄積部２４に送って更新するように構成することができる。この構成によれば、地上デジタル放送受信機１とカーナビゲーション装置２との間の通信量を低減できるので、双方の処理負荷を軽減することができる。
【００４０】
また、図７に示すように、地上デジタル放送受信機１に、現在位置を検出するための現在位置検出部１５を追加し、制御部１７は、現在位置検出部１５において検出された現在地の都道府県名が変わった時に、番組情報を、カーナビインタフェース部１９を介してカーナビゲーション装置２に送信し、カーナビゲーション装置２の番組検索処理部２５は、受け取った番組情報を番組情報蓄積部２４に送って更新するように構成することができる。この構成によれば、番組情報が変更される可能性の高い位置で地上デジタル放送受信機１からカーナビゲーション装置２に番組情報を送信できるので、双方の処理負荷を軽減することができる。
【００４１】
また、カーナビゲーション装置２の番組検索処理部２５は、番組情報送信要求を、ＤＴＶインタフェース部２８を介して地上デジタル放送受信機１に所定時間間隔で送信し、地上デジタル放送受信機１の制御部１７は、カーナビインタフェース部１９を介して受け取った番組情報送信要求に応じて番組情報をカーナビゲーション装置２に送信するように構成することができる。この構成によれば、カーナビゲーション装置２は所望のタイミングで番組情報を更新することが可能になる。また、番組情報送信要求を所定時間間隔で送信することにより番組情報の送信回数が制限されるので、地上デジタル放送受信機１とカーナビゲーション装置２との間の通信負荷を軽減できる。
【００４２】
この場合、地上デジタル放送受信機１の制御部１７は、カーナビインタフェース部１９を介して受け取った番組情報送信要求に応じて、受信可能な放送の周波数をチューナ部１２に設定し、この周波数が設定されたチューナ部１２で受信された放送に含まれる新しい番組情報をカーナビゲーション装置２に送信するように構成することができる。この構成によれば、カーナビゲーション装置２から番組情報送信要求があった場合に、最新の番組情報を取得してカーナビゲーション装置２に送信することが可能になる。
【００４３】
また、図８に示すように、カーナビゲーション装置２に、現在位置を検出するための現在位置検出部２９を追加し、番組検索処理部２５は、現在位置検出部２９において検出された現在地の都道府県名が変わった時に、番組情報送信要求を、ＤＴＶインタフェース部２８を介して地上デジタル放送受信機１に送信し、地上デジタル放送受信機１の制御部１７は、カーナビインタフェース部１９を介して受け取った番組情報送信要求に応じて新しい番組情報をカーナビゲーション装置２に送信するように構成することができる。この構成によれば、例えば、近畿圏から名古屋圏に移動することにより受信できる放送局が変更されるのに対応して、カーナビゲーション装置２に保持している番組情報を自動的に更新することができる。
【００４４】
また、地上デジタル放送受信機１の制御部１７は、受信した放送に含まれる番組情報のうちの前回送信した番組情報との差である差分情報のみをカーナビインタフェース部１９を介してカーナビゲーション装置２に送信するように構成できる。この構成によれば、不必要な情報を送信せずに済むので、地上デジタル放送受信機１とカーナビゲーション装置２との間の通信量を低減でき、双方の処理負荷を軽減することができる。
【００４５】
また、地上デジタル放送受信機１の制御部１７は、放送局のサービスエリアが変わったか否かを所定の方法により調べ、放送局のサービスエリアが変わったことを検知した時に、新しい番組情報をカーナビゲーション装置２に送信するように構成することができる。
【００４６】
実施の形態２．
実施の形態１では、カーナビゲーション装置２の音声認識辞書部２２に格納される音声認識辞書は固定であるが、この実施の形態２は、地上デジタル放送受信機１から受信した番組情報から音声認識辞書を動的に生成し、この生成した音声認識辞書を用いて音声認識処理を行うようにしたものである。
【００４７】
この発明の実施の形態２に係る放送受信システムで使用される地上デジタル放送受信機１の構成および動作は、上述した実施の形態１に係る放送受信システムで使用される地上デジタル放送受信機の構成および動作と同じである。
【００４８】
図９は、この発明の実施の形態２に係る放送受信システムで使用されるカーナビゲーション装置２の構成を示すブロック図である。このカーナビゲーション装置２は、実施の形態１に係る放送受信システムで使用されるカーナビゲーション装置に、番組情報解析部３０および音声認識辞書更新部３１が追加されて構成されている。また、番組検索処理部２５は、番組情報を番組情報解析部３０に送るとともに、番組情報解析部３０で生成された認識語彙に番組情報を対応付けて番組情報蓄積部２４に蓄積する。さらに、音声認識辞書部２２に格納されている音声認識辞書は、音声認識辞書更新部３１によって更新されるように構成されている。
【００４９】
番組情報解析部３０は、番組検索処理部２５から番組情報として送られてくる放送局名に対応する認識語彙および音声信号（音声情報）を生成し、音声認識辞書更新部３１に送る。音声認識辞書更新部３１は、番組情報解析部３０から送られてくる認識語彙および音声情報を、音声認識辞書部２２に格納されている音声認識辞書に追加し、音声認識辞書を更新する。
【００５０】
次に、上記のように構成される放送受信システムの動作を、カーナビゲーション装置２の動作を中心に説明する。なお、カーナビゲーション装置２において行われる番組検索処理は、上述した実施の形態１と同じであるので説明を省略し、音声認識辞書の動的生成処理を中心に説明する。
【００５１】
音声認識辞書の動的生成処理においては、番組情報解析部３０は、図１０に示すように、読み仮名生成処理３０１および音声信号生成処理３０２を実行する。読み仮名生成処理３０１では、番組検索処理部２５から番組情報として送られてくる放送局名から読み仮名が生成され、音声信号生成処理３０２に送られる。より詳しくは、読み仮名生成処理３０１では、番組情報として受け取った「漢字かな混じり」の放送局名の読みである読みあげデータ（すべてが平仮名から成る放送局名の読み仮名）が、あらかじめカーナビゲーション装置２に備えられている辞書および文法ルールにしたがって生成される。なお、読みあげデータの生成は、従来のパーソナルコンピュータ、携帯電話、カーナビゲーション装置などで採用されているＴＴＳ（Ｔｅｘｔ  Ｔｏ  Ｓｐｅｅｃｈ）の技術を用いて行うことができる。例えば、図１１に示すように、「総合テレビ」という放送局名に対しては、「そうごうてれび」という読み仮名が生成される。この読み仮名生成処理３０１で生成された読み仮名は、音声信号生成処理３０２に渡されるとともに、認識語彙として音声認識辞書更新部３１に送られる。
【００５２】
音声信号生成処理３０２では、読み仮名生成処理３０１によって生成された読み仮名から音声信号が生成される。この音声信号の生成には、上述したＴＴＳにおける音声合成処理を用いることができる。音声合成処理を行うことにより、「そうごうてれび」という文字列が音声信号に変換される。この音声信号生成処理３０２で生成された音声信号は、音声情報として音声認識辞書更新部３１に送られる。
【００５３】
音声認識辞書更新部３１は、読み仮名生成処理３０１で生成された認識語彙と音声信号生成処理３０２で生成された音声情報とを対応付けて音声認識辞書部２２に格納されている音声認識辞書に追加し、以て音声認識辞書を更新する。また、番組検索処理部２５は、ＤＴＶインタフェース部２８を介して受信された番組情報と、番組情報解析部３０で生成された認識語彙とを対応づけて番組情報蓄積部２４に蓄積する。
【００５４】
その後は、音声認識処理部２３は、音声入力部２１から受け取った発話音声信号（音声情報）と音声認識辞書部２２に格納されている音声認識辞書の音声情報とを順次比較し、一致した音声情報に対応する認識語彙である放送局名を、音声認識の結果として番組検索処理部２５に送る。番組検索処理部２５は、音声認識処理部２３から音声認識結果として受け取った認識語彙である放送局名に基づき、番組情報蓄積部２４に蓄積されている番組情報を検索する。
【００５５】
以上説明したように、この発明の実施の形態２に係る放送受信システムによれば、番組情報解析部３０によって認識語彙である放送局名と音声情報である音声信号との組を作成し、音声認識辞書更新部３１によって、それを音声認識辞書に追加し、実施の形態１と同様の方法で音声認識処理を行うように構成したので、例えば番組情報が変化して音声認識辞書に存在しない認識語彙が出現した場合に、認識語彙と音声情報とが動的に音声認識辞書に追加される。したがって、常に音声で地上デジタル放送受信機１を操作して所望の番組を検索することが可能となる。
【００５６】
なお、上述した実施の形態２では、音声認識辞書更新部３１は、動的に生成された放送局名（語彙情報）と音声信号（音声情報）とを対応付けて音声認識辞書部２２に格納されている音声認識辞書に追加し、以て更新を行うだけであるが、この更新の際に、前回追加した分（例えば、近畿地区から東海地区に移動した場合、近畿地区の番組表に対する音声認識辞書の部分）を削除した後に追加するように構成できる。この構成によれば、音声認識辞書のデータの増加を抑えることが可能になるので、音声認識率の低下を避けることが可能となる。
【００５７】
また、音声認識辞書部２２に格納されている音声認識辞書から前回追加した分を削除する処理は、音声認識辞書を更新する際に限らず、所定時間間隔で行うように構成することができる。この構成によれば、所定時間が経過後に、既に放送された番組に対する音声認識辞書の部分を削除することにより、現時点で認識対象となる番組の認識率を向上させることが可能となる。
【００５８】
また、図１２に示すように、カーナビゲーション装置２に、現在位置を検出するための現在位置検出部２９を追加し、音声認識辞書更新部３１は、現在位置検出部２９によって検出された現在地の都道府県名が変わったことを判断した時に、音声認識辞書部２２に格納されている音声認識辞書から前回追加した分を削除するように構成できる。この構成によれば、例えば、近畿圏から名古屋圏に移動することにより受信できる放送局が変わった場合に、認識対象から外れる（意味のない）音声認識辞書の部分を削除することにより、認識率を向上させることが可能になる。
【００５９】
また、上述した実施の形態２では、読み仮名生成処理３０１および音声信号生成処理３０２の両方ともカーナビゲーション装置２に設けられた番組情報解析部３０で行われるように構成したが、これらの処理は、地上デジタル放送受信機１または放送局で行うように構成することもできる。図１３は、読み仮名生成処理３０１および音声信号生成処理３０２を実行する主体を場合分けして示す図である。この発明の放送受信システムでは、ケース１〜６のうちの任意のケースを用いることができる。ケース２〜６によれば、カーナビゲーション装置２の処理負荷を、ケース１に較べて軽減できる。
【００６０】
実施の形態３．
上述した実施の形態１および実施の形態２では、番組情報を構成する放送局名を用いて地上デジタル放送受信機１を音声で操作する場合について説明した、実施の形態３では、番組情報に含まれるジャンルを用いて地上デジタル放送受信機１を音声で操作するようにしたものである。
【００６１】
この発明の実施の形態３に係る放送受信システムで使用される地上デジタル放送受信機１の構成および動作は、上述した実施の形態１に係る放送受信システムで使用される地上デジタル放送受信機の構成および動作と同じである。また、この発明の実施の形態３に係る放送受信システムで使用される地上デジタル放送受信機１の構成は、上述した実施の形態１に係る放送受信システムで使用される地上デジタル放送受信機の構成と同じであり、動作のみが異なる。以下、実施の形態１と異なる動作の部分を中心に説明する。
【００６２】
図１４は、実施の形態３において使用される番組情報の例を示す図である。この例では、午前７時から８時までの１時間分の各放送局の番組情報が示されている。
【００６３】
図１５は、番組情報のジャンルから所望の番組を検索する処理を示すフローチャートである。この処理では、まず、ユーザによる発話を入力する音声入力処理が行われる（ステップＳＴ２１）。次いで、音声認識処理が行われる（ステップＳＴ２２）。以上の処理は、図５に示すフローチャートを参照して説明したステップＳＴ１１〜ＳＴ１２の処理と同じである。
【００６４】
次いで、番組検索処理が行われる（ステップＳＴ２３）。番組情報蓄積部２４には、図示は省略するが、ジャンル名とＤＴＶ制御情報との対応表が保持されている。この対応表は、番組情報として地上デジタル放送受信機１からあらかじめ受信される。番組検索処理部２５は、音声認識処理部２３から音声認識結果として送られてくる認識語彙に対応するジャンル名が、対応表に存在するかどうかを順次調べる。
【００６５】
次いで、検索結果があるかどうかが調べられる（ステップＳＴ２４）。このステップＳＴ２４において、検索結果が複数存在することが判断されると、検索候補絞込処理が行われる（ステップＳＴ２５）。例えば、図１４に示す番組情報の場合、「定時・総合」とユーザが発話すれば、総合テレビおよびＡＡＡＡテレビといった複数の番組がヒットするので、カーナビゲーション装置２では、複数の検索候補から絞り込む絞込処理が行われる。この絞込処理における絞り込みは、ユーザが出演者名やキーワードを新たに発話することによって行うことができる。
【００６６】
また、絞込処理における絞り込みは、最初の候補（図１４に示すジャンルの左側から選択）を挙げ、ユーザが「次」、「前」と発話することにより行うように構成できる。図１６は、この場合の画面および音声操作の遷移を示す図である。まず、ＤＴＶ画面が表示されている状態で、ユーザが「定時・総合」と発話すると、『「定時・総合」を検索します』というメッセージが表示されて検索が開始される。そして、検索が終了すると、総合テレビが選択された旨の表示と、『「定時・総合」は２つあります。１つ目「７時のニュース」』というメッセージが表示される。この状態で、ユーザが「次」と発話すると、ＡＡＡＡテレビが選択された旨の表示と、『２つ目「おはよう毎朝」』というメッセージが表示される。この状態で、ユーザが「前」と発話すると、元の表示に戻る。
【００６７】
なお、検索候補の提示は、上述した左側から順番といったように、あらかじめ決められた順序で行う他に、ユーザによる各放送局の選択頻度を記憶しておき、その記憶した選択頻度に応じて順序を変更するように構成することもできる。
【００６８】
このステップＳＴ２５の検索候補絞込処理により１つの候補に絞り込まれると、ＤＴＶ制御情報の送信が行われる。例えば、ユーザが「定時・総合」と発話することにより２つの候補が提示され、そのうちの１つ、例えば「７時のニュース」をユーザが選択されると、カーナビゲーション装置２は、総合テレビの「７時のニュース」に対応するＤＴＶ制御情報を地上デジタル放送受信機１に送信する。
【００６９】
上記ステップＳＴ２４において、検索結果が１件だけ存在することが判断されると、ＤＴＶ制御情報の送信が行われる（ステップＳＴ２６）。例えば、図１４に示す番組情報の場合、「会話・語学」とユーザが発話すれば、カーナビゲーション装置２は、教育テレビに対するＤＴＶ制御情報を地上デジタル放送受信機１に送信する。
【００７０】
上記ステップＳＴ２４において、検索結果がないことが判断されると、ユーザが発話した「定時・総合」というジャンルの番組が存在しないことがユーザに通知される（ステップＳＴ２７）。すなわち、番組検索処理部２５は、ユーザが発話した「定時・総合」というジャンルの番組が存在しない旨のメッセージを映像・音声信号生成部２６を介してモニタ部２７に送る。
【００７１】
以上説明したように、この発明の実施の形態３に係る放送受信システムによれば、地上デジタル放送受信機１に音声認識機能を設けずに、カーナビゲーション装置２が既に有する音声認識機能を使用して、地上デジタル放送受信機１を音声で操作することができるので、放送受信システム全体を低コストで実現できるとともに、ユーザの利便性を向上させることができる。
【００７２】
なお、ジャンルの他に、番組情報に含まれるキーワード、番組名、出演者を用いて地上デジタル放送受信機１を音声で操作するように構成することもできる。また、上述した実施の形態３のように、図１４に示す番組情報から、動的に音声認識辞書を生成し、その音声認識辞書を使用して音声認識処理させるように構成することもできる。
【００７３】
また、上述した実施の形態３では、各番組に対して１つのジャンルが設定されている場合について説明したが、１つの番組に複数のジャンルが設定されている場合がある。実際の地上デジタル放送では、１つの番組に対して７つのジャンルまで設定できる。この場合は、複数のジャンルから候補を検索することになるが、全てのジャンルを検索対象とすることもできるし、所定数のジャンルだけを検索対象とすることもできる。さらには、ジャンルにあらかじめ優先度を設定しておき、優先度の高いジャンルのみを検索対象とするように構成することもできる。
【００７４】
また、上述した実施の形態３では、午前７時から８時までの番組情報を使用しており、この番組情報を更新する場合、１時間後に、地上デジタル放送受信機１から番組情報をカーナビゲーション装置２に送信することになる。この場合、午前７時から９時まで継続する番組を省いて送信することができる。これにより、地上デジタル放送受信機１とカーナビゲーション装置２との間の通信量を減らすことができる。
【００７５】
実施の形態４．
実施の形態３では、１時間分の番組情報を使用して番組検索を行うように構成したが、実施の形態４では、長時間の番組情報を用いて番組検索を行うようにしたものである。以下では、２時間分の番組情報を使用して番組を検索する場合を例に挙げて説明する。
【００７６】
この発明の実施の形態４に係る放送受信システムで使用される地上デジタル放送受信機１の構成および動作は、上述した実施の形態１に係る放送受信システムで使用される地上デジタル放送受信機の構成および動作と同じである。
【００７７】
図１７は、この発明の実施の形態４に係る放送受信システムで使用されるカーナビゲーション装置２の構成を示すブロック図である。このカーナビゲーション装置２は、実施の形態１に係る放送受信システムで使用されるカーナビゲーション装置に、現在時刻取得部３２が追加されて構成されている。現在時刻取得部３２は、図示しない時計機構から現在時刻を取得し、番組検索処理部２５に送る。
【００７８】
図１８は、実施の形態４において使用される番組情報の例を示す図である。この例では、午前７時から９時までの２時間分の各放送局の番組情報が示されている。
【００７９】
図１９は、番組情報のジャンルから所望の番組を検索する処理を示すフローチャートである。以下では、図１５のフローチャートに示した実施の形態３に係るカーナビゲーション装置の処理と同じ処理を行うステップには、図１５で使用した符号と同じ符号を付して説明を簡略化する。
【００８０】
この処理では、まず、ユーザによる発話を入力する音声入力処理が行われる（ステップＳＴ３１）。次いで、音声認識処理が行われる（ステップＳＴ３２）。次いで、午前７時から８時までの番組情報を対象として番組検索処理が行われる（ステップＳＴ３３）。次いで、検索結果があるかどうかが調べられる（ステップＳＴ３４）。このステップＳＴ３４において、検索結果が複数存在することが判断されると、検索候補絞込処理が行われる（ステップＳＴ３５）。一方、ステップＳＴ３４において、検索結果が１件だけ存在することが判断されると、ＤＴＶ制御情報の送信が行われる（ステップＳＴ３６）。以上の処理は、図１５に示すフローチャートを参照して説明したステップＳＴ２１〜ＳＴ２６の処理と同じである。
【００８１】
上記ステップＳＴ３４において、検索結果がないことが判断されると、現在時刻が取得される（ステップＳＴ４１）。すなわち、番組検索処理部２５は、現在時刻取得部３２から現在時刻を取得する。次いで、８時までの時間が所定時間内であるかどうかが調べられる（ステップＳＴ４２）。このステップＳＴ４２において、所定時間内であることが判断されると、午前８時から９時までの番組情報を対象として番組検索処理が行われる（ステップＳＴ４３）。
【００８２】
次いで、検索結果があるかどうかが調べられる（ステップＳＴ４４）。このステップＳＴ４４において、検索結果が複数存在することが判断されると、検索候補絞込処理が行われる（ステップＳＴ４５）。このステップＳＴ４５の処理は、上述したステップＳＴ３５の処理と同じである。なお、このステップＳＴ４５の処理においては、絞り込まれた候補の番組がまもなく開始される旨のメッセージを出力するように構成できる。
【００８３】
ステップＳＴ４４において、検索結果が１件だけ存在することが判断されると、ＤＴＶ制御情報の送信が行われる（ステップＳＴ４６）。例えば、図１８に示す番組情報の場合、「グルメ・料理」とユーザが発話した場合は、カーナビゲーション装置２は、教育テレビに対するＤＴＶ制御情報を地上デジタル放送受信機１に送信する。このステップＳＴ４６の処理においては、検索された番組がまもなく開始される旨のメッセージを出力するように構成できる。
【００８４】
上記ステップＳＴ４４において、検索結果がないことが判断されると、ユーザが発話したジャンルの番組が存在しないことがユーザに通知される（ステップＳＴ４７）。すなわち、番組検索処理部２５は、ユーザが発話した例えば「イベント」というジャンルの番組が午前７時から８時までの間に存在しない旨のメッセージを映像・音声信号生成部２６を介してモニタ部２７に送る。
【００８５】
上記の処理によって、例えば、７時５５分に「野球」と発話して番組検索した場合、上述した実施の形態３では、午前７時〜８時の間では検索結果が得られないので、「野球」というジャンルの番組が存在しない旨が通知されるが、８時からの番組では検索結果が得られる。この場合、例えば、「あと５分で総合テレビで野球の番組が始まります」といった案内を行うことができる。同時に、ＤＴＶ制御情報が地上デジタル放送受信機１に送信されるので視聴予約を行うことができる。また、ユーザが番組を視聴するための操作を忘れた場合であっても、「先ほど検索した番組を始めます」という案内メッセージを提示するように構成することもできる。
【００８６】
以上説明したように、この発明の実施の形態４に係る放送受信システムによれば、現在放送中の番組の番組情報が次に放送される番組の番組情報に切り替わる前の所定時間内に番組検索が行われた場合は、次に放送される番組の番組情報を検索対象として検索するように構成したので、ユーザの利便性を向上させることが可能になる。
【００８７】
なお、上述した実施の形態４では、２時間分の番組情報を検索対象としているが、さらに長時間にわたる番組情報を検索対象とすることもできる。また、上述した実施の形態４では、カーナビゲーション装置上で次に放送される番組の番組情報を検索対象として番組検索を行うように構成したが、この番組検索を行う技術はカーナビゲーション装置に限らず、他の装置にも適用できる。
【００８８】
実施の形態５．
地上デジタル放送では、各放送局は、自局の番組表を生成するための番組情報のみを放送する。そのため、全ての放送局の番組情報を取得するためには、全ての放送局をスキャンする必要があり、このスキャンが行われている間は、ユーザは所望の番組を視聴できない。この問題は、複数のチューナを用意することにより解決できるが、コストアップに繋がるという問題が発生する。
【００８９】
そこで、実施の形態５は、カーナビゲーション装置２が自己の画面を出力（例えば、地図画面を出力）している間に、地上デジタル放送受信機１が全放送局をスキャンして番組情報を更新し、更新した番組情報をカーナビゲーション装置２に送信するようにしたものである。
【００９０】
この発明の実施の形態５に係る放送受信システムで使用される地上デジタル放送受信機１の構成および動作は、上述した実施の形態１に係る放送受信システムで使用される地上デジタル放送受信機の構成および動作と同じである。
【００９１】
図２０は、この発明の実施の形態５に係る放送受信システムで使用されるカーナビゲーション装置２の構成を示すブロック図である。このカーナビゲーション装置２は、実施の形態１に係る放送受信システムで使用されるカーナビゲーション装置に、入力部３３および出力切替部３４が追加されて構成されている。
【００９２】
入力部３３は、例えばリモコン、タッチパネルまたは操作スイッチなどから構成されており、ユーザが、モニタ部２７に出力する内容の切り替えを指示するために使用される。この入力部３３から入力された指示は、出力切替部３４に送られる。出力切替部３４は、入力部３３からの指定に応じて、モニタ部２７に送る映像信号および音声信号として、カーナビゲーション装置２の映像・音声信号生成部２６が生成した映像信号および音声信号を選択するか、地上デジタル放送受信機１から送信されてくる映像信号および音声信号を選択するかを切り替えるとともに、現在選択されている状態を番組検索処理部２５に通知する。
【００９３】
番組検索処理部２５は、出力切替部３４から送られてくる状態が、カーナビゲーション装置２の映像・音声信号生成部２６が生成した映像信号および音声信号が選択されていることを示しているときに、ＤＴＶインタフェース部２８を介して、地上デジタル放送受信機１に番組情報の全更新要求を発行する。地上デジタル放送受信機は、この全更新要求に応答して、現在受信可能な全放送局をスキャンし、全放送局の番組情報を更新する処理を行うとともに、更新した番組情報（の一部）をカーナビゲーション装置２に送信する。
【００９４】
以上説明したように、この発明の実施の形態５に係る放送受信システムによれば、例えば、カーナビゲーション装置２において地図が表示されているときに番組情報を取得することができるので、地上デジタル放送受信機１が出力している映像および音声を乱すことなく、番組情報を取得することができる。
【００９５】
なお、上述した実施の形態１〜４では、地上デジタル放送受信機１の電源がオンされている時に全放送局をスキャンして番組情報を取得するように構成することも可能であり、これにより、１週間に１回程度しか車に乗らない人でも、電源がオンされた時には、最新の番組情報を使用して番組を検索することが可能となる。
【００９６】
以上説明した実施の形態１〜５では、この発明の放送受信装置制御端末としてカーナビゲーション装置を用いたが、カーナビゲーション装置の代わりに、リモコン機能および音声認識機能を有する携帯電話を用いるように変形できる。なお、携帯電話におけるリモコン機能は、詳細な説明は省略するが、携帯電話上で動作するアプリケーションにより実現される。以下では、実施の形態１に係る放送受信システムにおいて、カーナビゲーション装置の代わりに携帯電話を用いる場合についてのみ説明するが、実施の形態２〜５に係る放送受信システムにおいても、実施の形態１と同様に、カーナビゲーション装置の代わりに携帯電話を用いることができる。
【００９７】
図２１は、この発明の実施の形態１の変形例に係る放送受信システムにおいて放送受信装置として用いられる地上デジタル放送受信機１の構成を示すブロック図である。この地上デジタル放送受信機１は、実施の形態１に係る地上デジタル放送受信機の構成要素に、モニタ部２０が追加されるとともに、カーナビインタフェース部１９が近距離無線通信インタフェース部１９ａ、カーナビゲーション装置２が携帯電話２ａに変更されて構成されている。
【００９８】
モニタ部２０は、例えばＬＣＤ（Liquid Crystal Display）およびスピーカから構成されており、映像・音声信号生成部１４から送られてくる映像信号および音声信号に基づき映像および音声を出力する。なお、実施の形態１に係る地上デジタル放送受信機１は、カーナビゲーション装置２のモニタ部２７を利用して映像および音声を出力するように構成されているが、この実施の形態１の変形例に係る地上デジタル放送受信機１では、独自のモニタ部２０を用いて映像および音声を出力する点が実施の形態１と異なる。
【００９９】
通信インタフェース部１９ａは、地上デジタル放送受信機１と携帯電話２ａとの間で行われるデータの送受を制御する。なお、地上デジタル放送受信機１と携帯電話２ａとの間で行われる通信は、赤外線、ブルートゥース（Bluetooth；登録商標）、無線ＬＡＮ（Local Area Network）または超広帯域無線（ＵＷＢ：Ultra Wide Band）を用いた近距離無線通信、または、シリアルケーブルなどを用いた近距離有線通信で行うことができる。通信インタフェース部１９ａは、採用される通信方法に適合するように構成される。
【０１００】
図２２は、この発明の実施の形態１の変形例に係る放送受信システムにおいて放送受信装置制御端末として用いられる携帯電話２ａの構成を示すブロック図である。この携帯電話２ａは、実施の形態１に係るカーナビゲーション装置２の構成要素のうち、モニタ部２７がが携帯電話モニタ部２７ａに変更されるとともに、ＤＴＶインタフェース部２８が通信インタフェース部２８ａに変更されて構成されている。
【０１０１】
携帯電話モニタ部２７ａは、例えばＬＣＤ（Liquid Crystal Display）およびスピーカから構成されており、映像・音声信号生成部２６から送られてくる映像信号および音声信号に基づき映像および音声を出力する。
【０１０２】
通信インタフェース部２８ａは、携帯電話２ａと地上デジタル放送受信機１との間で行われるデータの送受を制御する。なお、通信インタフェース部２８ａは、地上デジタル放送受信器１の通信インタフェース部１９ａで行われる通信方法に適合するように構成される。
【０１０３】
上記のように構成される実施の形態１の変形例に係る放送受信システムの動作は、地上デジタル放送受信機１で発生された映像信号および音声信号に基づく映像および音声は、モニタ部２０に出力され、携帯電話２ａで発生された映像信号および音声信号に基づく映像および音声は、携帯電話モニタ部２７ａに出力される点を除けば、実施の形態１に係る放送受信システムの動作と同じである。
【０１０４】
以上説明した実施の形態１の変形例に係る放送受信システムによれば、地上デジタル放送受信機１のモニタ部２０には、地上デジタル放送の映像および音声を出力し、携帯電話２ａの携帯電話モニタ部２７ａには、番組検索用の映像および音声を出力することができるので、放送中の映像および音声を遮ることなく番組検索ができる。この変形例に係る放送受信システムは、車載用の地上デジタル放送受信機のみならず、例えば家庭用の据え置き型の地上デジタル放送受信機に対しても有用である。
【０１０５】
なお、実施の形態１の変形例に係る放送受信システムにおいては、放送受信装置制御端末として携帯電話を用いたが、音声認識機能を有するリモコンを用いることもできる。また、放送受信装置として地上デジタル放送受信機を用いたが、放送受信装置としては、デジタルラジオ受信機、または、地上デジタル放送受信機とデジタルラジオ受信機とが一体化した受信機を用いることもできる。また、放送受信装置として、例えばインターネットを介して番組情報を取得できるアナログのテレビジョン放送受信機、アナログＡＭ／ＦＭ放送受信機を用いることもできる。
【図面の簡単な説明】
【０１０６】
【図１】この発明の実施の形態１に係る放送受信システムの構成を示す図である。
【図２】この発明の実施の形態１に係る放送受信システムで使用される地上デジタル放送受信機の構成を示すブロック図である。
【図３】この発明の実施の形態１に係る放送受信システムで使用されるカーナビゲーション装置の構成を示すブロック図である。
【図４】この発明の実施の形態１に係る放送受信システムで使用されるＤＴＶ制御情報とリモコンキーコードとの対応表を示す図である。
【図５】この発明の実施の形態１に係る放送受信システムのカーナビゲーション装置において行われる番組検索処理を示すフローチャートである。
【図６】この発明の実施の形態１に係る放送受信システムで使用される放送局名とＤＴＶ制御情報との対応表を示す図である。
【図７】この発明の実施の形態１に係る放送受信システムで使用される地上デジタル放送受信機の構成の変形例を示すブロック図である。
【図８】この発明の実施の形態１に係る放送受信システムで使用されるカーナビゲーション装置の構成の変形例を示すブロック図である。
【図９】この発明の実施の形態２に係る放送受信システムで使用されるカーナビゲーション装置の構成を示すブロック図である。
【図１０】この発明の実施の形態２に係る放送受信システムで使用されるカーナビゲーション装置の番組情報解析部で行われる処理を示す図である。
【図１１】この発明の実施の形態２に係る放送受信システムで使用されるカーナビゲーション装置の番組情報解析部で行われる読み仮名生成処理の結果を示す図である。
【図１２】この発明の実施の形態２に係る放送受信システムで使用されるカーナビゲーション装置の構成の変形例を示すブロック図である。
【図１３】この発明の実施の形態２に係る放送受信システムで使用されるカーナビゲーション装置の変形例で行われる読み仮名生成処理および音声信号生成処理の実行する主体を場合分けして示す図である。
【図１４】この発明の実施の形態３に係る放送受信システムで使用される番組情報の例を示す図である。
【図１５】この発明の実施の形態３に係る放送受信システムのカーナビゲーション装置において行われる番組検索処理を示すフローチャートである。
【図１６】この発明の実施の形態３に係る放送受信システムのカーナビゲーション装置において行われる番組検索処理における画面および音声操作の遷移を示す図である。
【図１７】この発明の実施の形態４に係る放送受信システムで使用されるカーナビゲーション装置の構成の変形例を示すブロック図である。
【図１８】この発明の実施の形態４に係る放送受信システムで使用される番組情報の例を示す図である。
【図１９】この発明の実施の形態４に係る放送受信システムのカーナビゲーション装置において行われる番組検索処理を示すフローチャートである。
【図２０】この発明の実施の形態５に係る放送受信システムで使用されるカーナビゲーション装置の構成を示すブロック図である。
【図２１】この発明の実施の形態１の変形例に係る放送受信システムにおいて放送受信装置として用いられる地上デジタル放送受信機の構成を示すブロック図である。
【図２２】この発明の実施の形態１の変形例に係る放送受信システムにおいて放送受信装置制御端末として用いられる携帯電話の構成を示すブロック図である。
【符号の説明】
【０１０７】
１  地上デジタル放送受信機（放送受信装置）、２  カーナビゲーション装置（放送受信装置制御端末）、２ａ  携帯電話、３  シリアルケーブル、１１  アンテナ部（放送受信部）、１２  チューナ部（放送受信部）、１３  デコーダ部（放送受信部）、１４  映像・音声信号生成部、１５  現在位置検出部、１６  入力部、１７  制御部、１８  メニュー生成部、１９  カーナビインタフェース部、１９ａ  通信インタフェース部、２０  モニタ部、２１  音声入力部、２２  音声認識辞書部、２３  音声認識処理部、２４  番組情報蓄積部、２５  番組検索処理部、２６  映像・音声信号生成部、２７  モニタ部、２７ａ  携帯電話モニタ部、２８  ＤＴＶインタフェース部、２８ａ  通信インタフェース部、２９  現在位置検出部、３０  番組情報解析部、３１  音声認識辞書更新部、３２  現在時刻取得部、３３  入力部、３４  出力切替部。
【図１】
2007235912.tif 000003
【図２】
2007235912.tif 000004
【図３】
2007235912.tif 000005
【図４】
2007235912.tif 000006
【図５】
2007235912.tif 000007
【図６】
2007235912.tif 000008
【図７】
2007235912.tif 000009
【図８】
2007235912.tif 000010
【図９】
2007235912.tif 000011
【図１０】
2007235912.tif 000012
【図１１】
2007235912.tif 000013
【図１２】
2007235912.tif 000014
【図１３】
2007235912.tif 000015
【図１４】
2007235912.tif 000016
【図１５】
2007235912.tif 000017
【図１６】
2007235912.tif 000018
【図１７】
2007235912.tif 000019
【図１８】
2007235912.tif 000020
【図１９】
2007235912.tif 000021
【図２０】
2007235912.tif 000022
【図２１】
2007235912.tif 000023
【図２２】
2007235912.tif 000024